(57)【要約】【課題】駆動手段を冷却することで、画像形成装置の温度上昇を抑えることができ、正常な画像形成を行うことができる画像形成装置とする。【解決手段】背面パネル９の表面側に感光体４１と現像装置４２とを備えると共に背面パネルの裏面に感光体を駆動する感光体駆動手段４３と現像装置を駆動する現像装置駆動手段４４とを設置した画像形成部４を複数有し、複数の画像形成部における感光体駆動手段それぞれの裏側にフライホイール４５を設けた画像形成装置１である。感光体駆動手段とフライホイールの間に間隙Ｋを有し、当該間隙に対して風を流す駆動手段冷却用送風手段を備えている。【選択図】        図４
2005043508.tif 000002
【特許請求の範囲】
【請求項１】
背面パネルの表面側に感光体と現像装置とを備えると共に前記背面パネルの裏面に前記感光体を駆動する感光体駆動手段と前記現像装置を駆動する現像装置駆動手段とを設置した画像形成部を複数有し、
前記複数の画像形成部における感光体駆動手段それぞれの裏側にフライホイールを設けた画像形成装置であって、
前記感光体駆動手段と前記フライホイールの間に間隙を有し、
当該間隙に対して風を流す駆動手段冷却用送風手段を備えることを特徴とする画像形成装置。
【請求項２】
請求項１に記載の画像形成装置において、
前記駆動手段冷却用送風手段は、前記間隙の一端側に外部の空気を取り込む吸気口と前記間隙の他端側から外部に空気を排出する排気口とを備えることを特徴とする画像形成装置。
【請求項３】
請求項１又は２に記載の画像形成装置において、
前記駆動手段冷却用送風手段は、前記間隙の一端側に外部の空気を強制的に取り込む吸気装置と、前記間隙の他端側から外部に空気を強制的に排出する排気装置のうちの少なくとも一方を備えることを特徴とする画像形成装置。
【請求項４】
請求項１〜３のいずれか一項に記載の画像形成装置において、
前記複数の画像形成部における感光体駆動手段に設けられたフライホイール同士が、一部を重なり合わせるように略一直線上に並んでいることを特徴とする画像形成装置。
【請求項５】
請求項１〜４のいずれか一項に記載の画像形成装置において、
前記背面パネルの表面側の部材を冷却する本体冷却用送風手段を備えることを特徴とする画像形成装置。
【発明の詳細な説明】
【０００１】
【発明の属する技術分野】
本発明は、画像形成装置に係り、特には電子写真方式を用いて画像を形成する画像形成装置に関する。
【０００２】
【従来の技術】
従来、電子写真複写機等の電子写真方式を用いて画像を形成する画像形成装置では、画像形成時に発生する熱に対して装置内を冷却するため、放熱し易い構造を採用したり、ファンなどの送風手段を備えたりしている（例えば、特許文献１参照。）。
【０００３】
【特許文献１】
特開平１０−１６１４９１号公報
【０００４】
【発明が解決しようとする課題】
ところで、カラー画像形成装置など、画像を形成する画像形成部を複数有する場合に、感光体同士や現像装置同士が略一直線上に並ぶいわゆるタンデム型を採ることがある。この場合には、感光体を駆動するそれぞれの感光体駆動モータも略一直線上に並ぶように設けられ、現像装置を駆動するそれぞれの現像装置駆動モータもその近くで略一直線上に並ぶように設けられることとなる。なお、前記感光体駆動モータと現像装置駆動モータは、感光体や現像装置に対して背面パネルを挟んだ反対側に設けられる。
さらに、感光体駆動モータには、回転の安定化のためにフライホイールが設けられることが多く、感光体駆動モータが略一直線上に並ぶように設けられていればフライホイールも互いが重なり合うように略一直線上に並ぶことになる。
【０００５】
前記したような構成であると、重なり合うように並んだフライホイールと背面パネルとの間の狭い空間に複数の駆動モータ（駆動手段）が設けられることとなる。このとき、前記駆動モータそれぞれの駆動により発生した熱は、従来の冷却方法では冷却することができない程度に上昇してしまい、その熱が現像装置等に伝わってトナーの固着や顆粒化、外添材の劣化などの不具合を生じさせる原因となる。
その結果、画像あれや白抜け等の画質劣化が生じ、画像形成における深刻な問題となることがあった。
【０００６】
そこで、本発明の課題は、駆動手段を冷却することで、画像形成装置の温度上昇を抑えることができ、正常な画像形成を行うことができる画像形成装置を提供することを目的とする。
【０００７】
【課題を解決するための手段】
請求項１に記載の発明は、
背面パネルの表面側に感光体と現像装置とを備えると共に前記背面パネルの裏面に前記感光体を駆動する感光体駆動手段と前記現像装置を駆動する現像装置駆動手段とを設置した画像形成部を複数有し、
前記複数の画像形成部における感光体駆動手段それぞれの裏側にフライホイールを設けた画像形成装置であって、
前記感光体駆動手段と前記フライホイールの間に間隙を有し、
当該間隙に対して風を流す駆動手段冷却用送風手段を備えることを特徴としている。
【０００８】
請求項１に記載の発明によれば、感光体駆動手段とフライホイールの間に間隙を有し、当該間隙に対して風を流す駆動手段冷却用送風手段を備えるため、感光体駆動手段や現像装置駆動手段等の駆動手段を冷却することができる。その結果、画像形成装置の温度上昇を抑えることができ、正常な画像形成を行うことができる。
さらに、画像形成装置の温度上昇によって駆動手段におけるギア等が変形したり、モータや基盤等の電気部品に無理な力が掛かったりする不具合を生じさせることがないため、部品の耐久性を向上させることができる。
【０００９】
請求項２に記載の発明は、請求項１に記載の画像形成装置において、
前記駆動手段冷却用送風手段は、前記間隙の一端側に外部の空気を取り込む吸気口と前記間隙の他端側から外部に空気を排出する排気口とを備えることを特徴としている。
【００１０】
請求項２に記載の発明によれば、駆動手段冷却用送風手段が、間隙の一端側に外部の空気を取り込む吸気口と間隙の他端側から外部に空気を排出する排気口とを備えるため、間隙に対して効率良く風を流すことができる。その結果、より確実に請求項１に記載の発明の効果を奏することができる。
【００１１】
請求項３に記載の発明は、請求項１又は２に記載の画像形成装置において、
前記駆動手段冷却用送風手段は、前記間隙の一端側に外部の空気を強制的に取り込む吸気装置と、前記間隙の他端側から外部に空気を強制的に排出する排気装置のうちの少なくとも一方を備えることを特徴としている。
【００１２】
請求項３に記載の発明によれば、駆動手段冷却用送風手段が、間隙の一端側に外部の空気を強制的に取り込む吸気装置と、間隙の他端側から外部に空気を強制的に排出する排気装置のうちの少なくとも一方を備えるため、間隙に対して強制的に空気を流すことができ、その結果、さらに確実に請求項１に記載の発明の効果を奏することができる。
【００１３】
請求項４に記載の発明は、請求項１〜３のいずれか一項に記載の画像形成装置において、
前記複数の画像形成部における感光体駆動手段に設けられたフライホイール同士が、一部を重なり合わせるように略一直線上に並んでいることを特徴としている。
【００１４】
請求項４に記載の発明によれば、複数の画像形成部における感光体駆動手段に設けられたフライホイール同士が、一部を重なり合わせるように略一直線上に並んでいるため、フライホイールが壁のような役割を果たし、背面パネルと共に風が一定方向に流れるように補助する効果を有する。これにより、効果的に間隙に風を流すことができる。
【００１５】
請求項５に記載の発明は、請求項１〜４のいずれか一項に記載の画像形成装置において、
前記背面パネルの表面側の部材を冷却する本体冷却用送風手段を備えることを特徴としている。
【００１６】
請求項５に記載の発明によれば、背面パネルの表面側の部材を冷却する本体冷却用送風手段を備えるため、背面パネルの表面側の本体部の部材の冷却は本体冷却用送風手段が行うこととなり、駆動手段冷却用送風手段は、大きな熱量を発生する背面パネル裏面の駆動手段の冷却のみに使用することができる。これにより、画像形成装置全体として、より効果的な冷却を行うことができる。
【００１７】
【発明の実施の形態】
以下、図面を参照しながら本発明に係る画像形成装置の実施形態について説明する。ただし、発明の範囲は図示例に限定されるものではない。
図１は、本発明の実施の形態に係る画像形成装置１における背面パネル９の表面側の構成を示す概略図である。図２は、図１の画像形成装置１における背面パネル９の裏面の構成のうちフライホイール４５を外した状態を示す概略図である。図３は、図２の画像形成装置１の構成にフライホイール４５を取り付けた状態を示す概略図である。図４は、駆動手段冷却用送風手段による送風の様子を模式的に示した図である。
【００１８】
この画像形成装置１は、カラー画像形成装置であって、図１に示すように、画像形成装置１の上部には、原稿を光学的に走査して原稿画像を読み取って画像データを形成する画像読取部２が設けられている。
また、画像形成装置１の内部下方には、複数の記録紙Ｐを積層して収容する３つの収容トレイ３が上下重なるように設けられている。各収容トレイ３の一端部上側には、画像を記録しようとする記録紙Ｐを一枚ずつ収容トレイ３から取り出す取出し装置３１が設けられている。
【００１９】
収容トレイ３の上方には、トナー画像を形成する複数の画像形成部４が設けられており、本実施の形態では、イエロー、シアン、マゼンタ、ブラックの４色のトナー画像を形成するための４つの画像形成部４が上下に重なるいわゆるタンデム型に設けられている。それぞれの画像形成部４には、トナー画像が形成される感光体４１が備えられ、その周面にイエロー、シアン、マゼンタ、ブラックの各色のトナー画像が形成されるようになっており、上から順次イエロー、マゼンタ、シアン、ブラックと並ぶように上下方向に沿って略一直線上に配列されている。そして、それぞれの画像形成部４には、画像読取部２によって形成された画像データを基に各色のトナー画像を感光体４１上に形成する現像装置４２が、それぞれ各感光体４１に対して設けられている。
【００２０】
各画像形成部４における感光体４１は、図２に示すような、背面パネル９の裏面に設置された感光体駆動手段としての感光体駆動モータ４３によってそれぞれ駆動するようになっている。
また、各画像形成部４における現像装置４２は、図２に示すような、背面パネル９の裏面に設置された現像装置駆動手段としての現像装置駆動モータ４４によってそれぞれ駆動するようになっている。
【００２１】
各感光体４１における現像装置４２の反対側には、感光体４１上に形成されたトナー画像を一次転写する一次転写部５が設けられている。この一次転写部５には、感光体４１と接触して表面にトナー画像が転写される環状の中間転写ベルト５１と、中間転写ベルト５１を各感光体４１に接触させながら回転させる複数の張設ローラ５２とが設けられている。
【００２２】
一次転写部５における張設ローラ５２は、図２に示すような、背面パネル９の裏面に設置されたベルト駆動手段としてのベルト駆動モータ５３によって駆動するようになっている。
【００２３】
一次転写部５の下方には、中間転写ベルト５１に転写されたトナー画像を記録紙Ｐに二次転写する二次転写部６が設けられている。二次転写部６には、記録紙Ｐを中間転写ベルト５１に圧接させて、中間転写ベルト５１上のトナー画像を記録紙Ｐに転写する転写ローラ６１が、複数の張設ローラ５２のうち、下方に配置される１つの張設ローラ５２に対峙するように設けられている。
【００２４】
そして、二次転写部６の側方には、記録紙Ｐに転写されたトナー画像を定着させる定着部７が設けられている。この定着部７には、二次転写部６から搬送された記録紙Ｐを狭持して加熱、加圧しながら搬送する一対の定着ローラ７１が設けられており、この定着ローラ７１の加熱、加圧によって記録紙Ｐ上のトナー画像が定着されるようになっている。これら一対の定着ローラ７１のうち、一方の定着ローラ７１が記録紙Ｐを加熱する加熱ローラであり、他方の定着ローラ７１が一方の定着ローラ７１に記録紙Ｐを圧接して加圧する加圧ローラである。
また、画像形成装置１の側部には、トナー画像が定着された記録紙Ｐが排出される排出口８が設けられている。
【００２５】
次に、画像形成装置１における背面パネル９の裏面の構成について、図２〜図４を用いてさらに詳しく説明する。
【００２６】
図２に示し、前記したように、背面パネル９の裏面には、感光体４１を駆動する感光体駆動モータ４３が、縦方向の略一直線上に設置されている。
また、現像装置４２を駆動する現像装置駆動モータ４４が、感光体駆動モータ４３の近傍に、同じく縦方向の略一直線上に設置されている。
さらに、一次転写部５における張設ローラ５２を駆動するベルト駆動モータ５３が、近傍に設置されている。
【００２７】
また、図３及び図４に示すように、前記感光体駆動モータ４３にはそれぞれ回転安定化のためにフライホイール４５が設けられている。当該フライホイール４５は、感光体駆動モータ４３の裏側、すなわち背面パネル９から離れる方向に設けられており、感光体駆動モータ４３とフライホイール４５の間には、送風を行うための所定の間隙Ｋを有している。また、感光体駆動モータ４３同士が近い位置で略一直線上に並んでいるため、複数のフライホイール４５同士は、一部を重なり合わせるように略一直線上に並んでいる。
【００２８】
そして、感光体駆動モータ４３とフライホイール４５の間の間隙Ｋに対して風を流すための駆動手段冷却用送風手段を備えている。
本実施の形態では、駆動手段冷却用送風手段は、吸気口１１と排気口１２を備えており、前記吸気口１１には吸気装置として２つの吸気ファン１３が設けられ、前記排気口１２には排気装置として２つの排気ファン１４が設けられている。
【００２９】
前記吸気口１１及び吸気ファン１３は、感光体駆動モータ４３、現像装置駆動モータ４４、ベルト駆動モータ５３等の駆動手段より下側の背面カバーＢ部分に設けられており、ここから間隙Ｋの一端側である下側に外部の空気を強制的に取り込むようになっている。
前記排気口１２及び排気ファン１４は、感光体駆動モータ４３等の駆動手段より上側の背面カバーＢ部分に設けられており、間隙Ｋの他端側である上側からここを通して空気を外部に強制的に排出するようになっている。
【００３０】
また、本実施の形態では、吸気口１１から間隙Ｋの下側（駆動手段の設置部分を含む）までと、間隙Ｋの上側（駆動手段の設置部分を含む）から排気口１２までのそれぞれを覆う案内用ダクト１５，１６を備えている。この案内用ダクト１５，１６により、吸気口１１から間隙Ｋへの空気の流れ及び間隙Ｋから排気口１２への空気の流れを補助するようになっており、これにより間隙Ｋに対する風の流れが効率良く行われるようにされている。
なお、駆動手段冷却用送風手段の吸気ファンや排気ファンによって生じる排気量は、０．５〜２．５ｍ３／ｍｉｎであることが望ましい。
【００３１】
さらに、本実施の形態では、例えば図２に示すように、背面パネル９の表面側の部材を冷却する一又は複数の本体冷却用送風手段としての本体冷却用送風ファン９０を備えており、背面パネルの表面側に位置する前記した感光体４１や現像装置４２等の本体部の部材の冷却を行うようになっている。
なお、前記吸気口１１、排気口１２及び本体冷却用送風ファン９０の空気の吸入口や排出口には、ほこり等の取り込み及び排出を防止するためのフィルタが設けられていても良い。
【００３２】
また、駆動手段冷却用送風手段としては、例えば吸気口１１に吸気ファン１３を設け、排気口１２には排気ファン１４を設けない構成でも良い。さらに、排気口１２に排気ファン１４を設け、吸気口１１には吸気ファン１３を設けない構成でも良い。ただし、本実施の形態のように、駆動手段冷却用送風手段が、強制的に吸気を行う吸気ファン１３と強制的に排気を行う排気ファン１４の双方を有していると、より強力に送風を行うことができる利点がある。
【００３３】
以上のような画像形成装置１の作動による画像形成動作について説明する。
例えば、４つすべての現像装置４２が作動されてカラー画像を形成する場合には、画像読取部２によって原稿の画像が読み込まれて画像データが得られ、この画像データに基づいて、４つの現像装置４２の各々において露光を行うことにより、４つの感光体４１の各々の表面に異なる色のトナー像が得られる。そして、感光体４１の表面に形成された各々のトナー像を、一次転写部５において循環移動する中間転写ベルト５１の表面に転写することにより一次転写トナー像が重畳形成される。
【００３４】
一方、複数の収容トレイ３のうち、これから行われる画像形成に最適なサイズの記録紙Ｐが収容する収容トレイ３から、取出し装置３１によって記録紙Ｐが取り出される。記録紙Ｐは、搬送ローラ（図示省略）によって順次狭持されながら、二次転写部６まで搬送される。
【００３５】
記録紙Ｐが二次転写部６に到達すると、二次転写部６は、転写ローラ６１を駆動して、記録紙Ｐを中間転写ベルト５１に圧着させ、中間転写ベルト５１上の一次転写トナー画像を記録紙Ｐに二次転写させながら、記録紙Ｐを定着部７まで搬送する。定着部７は、二次転写トナー画像が転写された記録紙Ｐを定着ローラ７１によって狭持し、加熱、加圧しながら画像を記録紙Ｐに定着させる。
その後、画像が形成された記録紙Ｐは、排出口８から排出されることになる。
【００３６】
そして、本実施の形態では、このような画像形成動作中には、常に駆動手段冷却用送風手段の吸気ファン１３及び排気ファン１４を作動させて感光体駆動モータ４３、現像装置駆動モータ４４、ベルト駆動モータ５３等の駆動手段に対する送風を行っており、これにより、前記駆動手段の温度を抑えることができる。その結果、画像形成装置１の内部温度を抑えることができる。
また、本実施の形態では、画像形成動作中に、常に本体冷却用送風ファン９０も作動させており、これにより、背面パネルの表面側に位置する前記した感光体４１や現像装置４２等の本体部の部材の温度を抑えることができ、より一層、画像形成装置１の内部温度を抑えることができる。
なお、画像形成動作の変化に応じて、駆動手段冷却用送風手段や本体冷却用送風ファン９０の送風量を上下させる制御を行ったり、画像形成動作終了後の一定時間、駆動手段冷却用送風手段や本体冷却用送風ファン９０を作動させるような制御を行ったりしても良い。
【００３７】
次に、図５の表及び図６のグラフを参照して、連続プリント時における駆動手段冷却用送風手段の構成及び排気量に応じた画像形成装置の所定箇所の飽和温度を測定した実験結果について説明する。
【００３８】
この実験では、前記画像形成装置１において、駆動手段冷却用送風手段の構成及び排気量が、吸気ファンと排気ファンの双方ともがなく排気量なしの場合（「駆動部ＦＡＮなし」と表記）、排気ファンとして□６０のプロペラファンを２個備え排気量０．５ｍ３／ｍｉｎの場合（「排気のみ（□６０のプロペラＦＡＮ２個）」と表記）、吸気ファン及び排気ファンとして□８０のプロペラファンをそれぞれ１個ずつ備え排気量１．５ｍ３／ｍｉｎの場合（「吸入＋排気（□８０のプロペラＦＡＮそれぞれ１個）」と表記）、吸気ファン及び排気ファンとして□８０のプロペラファンをそれぞれ２個ずつ備え排気量２．１ｍ３／ｍｉｎの場合（「吸入＋排気（□８０のプロペラＦＡＮそれぞれ２個）」と表記）のそれぞれの場合に、３０℃環境下で連続プリントを２時間３０分行い、その際の画像形成装置内の所定箇所の飽和温度を測定した。
【００３９】
なお、図５の表及び図６のグラフにおいて、Ｙはイエロー、Ｋはブラックを示し、上から順にイエロー（Ｙ）、マゼンタ（Ｍ）、シアン（Ｃ）、ブラック（Ｋ）と並ぶように配置された複数の画像形成部における色を示している。例えば、ドラムモータ／Ｙは複数配置されたドラムモータのうちの一番上に配置されているイエローのドラムモータを示し、ドラムモータ／Ｋは複数配置されたドラムモータのうちの一番下に配置されているブラックのドラムモータを示している。
【００４０】
その結果、図５の表及び図６のグラフに示すように、測定した全ての箇所で、吸気ファンや排気ファンがある場合の方が、吸気ファンと排気ファンの双方ともがない場合に比べて飽和温度が低くなることがわかった。特に、現像装置の現像剤温度に関しては、正常な画像形成を行うために４７℃以下であることが好ましいが、吸気ファンや排気ファンがある場合には温度が４７℃以下に下げられており、正常な画像形成が行えると言える。また、排気量が０〜２．１ｍ３／ｍｉｎの間においては、吸気ファンと排気ファンの双方を備えて排気量を多くしたものの方が、排気量の少ないものよりも飽和温度を低くすることができることもわかった。
これにより、本発明により駆動手段冷却用送風手段を設けることで、画像形成装置の温度上昇を抑えることができることが証明された。
【００４１】
以上のように、本実施の形態の画像形成装置によれば、感光体駆動手段とフライホイールの間に間隙を有し、当該間隙に対して風を流す駆動手段冷却用送風手段を備えるため、感光体駆動手段や現像装置駆動手段等の駆動手段を冷却することができる。その結果、画像形成装置の温度上昇を抑えることができ、正常な画像形成を行うことができる。
さらに、画像形成装置の温度上昇によって駆動手段におけるギア等が変形したり、モータや基盤等の電気部品に無理な力が掛かったりする不具合を生じさせることがないため、部品の耐久性を向上させることができる。
【００４２】
また、本実施の形態では、駆動手段冷却用送風手段が、間隙の一端側に外部の空気を取り込む吸気口と間隙の他端側から外部に空気を排出する排気口とを備えるため、間隙に対して効率良く風を流すことができる。その結果、より確実に前記した効果を奏することができる。
【００４３】
さらに、本実施の形態では、駆動手段冷却用送風手段が、間隙の一端側に外部の空気を強制的に取り込む吸気装置と、間隙の他端側から外部に空気を強制的に排出する排気装置のうちの少なくとも一方を備えるため、間隙に対して強制的に空気を流すことができ、その結果、さらに確実に前記した効果を奏することができる。
【００４４】
またさらに、本実施の形態では、複数の画像形成部における感光体駆動手段に設けられたフライホイール同士が、一部を重なり合わせるように略一直線上に並んでいるため、フライホイールが壁のような役割を果たし、背面パネルと共に風が一定方向に流れるように補助する効果を有する。これにより、効果的に間隙に風を流すことができる。
【００４５】
また、本実施の形態では、背面パネルの表面側の部材を冷却する本体冷却用送風手段を備えるため、背面パネルの表面側の本体部の部材の冷却は本体冷却用送風手段が行うこととなり、駆動手段冷却用送風手段は、大きな熱量を発生する背面パネル裏面の駆動手段の冷却のみに使用することができる。これにより、画像形成装置全体として、より効果的な冷却を行うことができる。
【００４６】
なお、本発明は、前記実施の形態に限定されることなく、本発明の趣旨を逸脱しない範囲において、種々の改良並びに設計の変更を行っても良い。
【００４７】
【発明の効果】
請求項１に記載の発明によれば、感光体駆動手段とフライホイールの間に間隙を有し、当該間隙に対して風を流す駆動手段冷却用送風手段を備えるため、感光体駆動手段や現像装置駆動手段等の駆動手段を冷却することができる。その結果、画像形成装置の温度上昇を抑えることができ、正常な画像形成を行うことができる。
さらに、画像形成装置の温度上昇によって駆動手段におけるギア等が変形したり、モータや基盤等の電気部品に無理な力が掛かったりする不具合を生じさせることがないため、部品の耐久性を向上させることができる。
【００４８】
請求項２に記載の発明によれば、駆動手段冷却用送風手段が、間隙の一端側に外部の空気を取り込む吸気口と間隙の他端側から外部に空気を排出する排気口とを備えるため、間隙に対して効率良く風を流すことができる。その結果、より確実に請求項１に記載の発明の効果を奏することができる。
【００４９】
請求項３に記載の発明によれば、駆動手段冷却用送風手段が、間隙の一端側に外部の空気を強制的に取り込む吸気装置と、間隙の他端側から外部に空気を強制的に排出する排気装置のうちの少なくとも一方を備えるため、間隙に対して強制的に空気を流すことができ、その結果、さらに確実に請求項１に記載の発明の効果を奏することができる。
【００５０】
請求項４に記載の発明によれば、複数の画像形成部における感光体駆動手段に設けられたフライホイール同士が、一部を重なり合わせるように略一直線上に並んでいるため、フライホイールが壁のような役割を果たし、背面パネルと共に風が一定方向に流れるように補助する効果を有する。これにより、効果的に間隙に風を流すことができる。
【００５１】
請求項５に記載の発明によれば、背面パネルの表面側の部材を冷却する本体冷却用送風手段を備えるため、背面パネルの表面側の本体部の部材の冷却は本体冷却用送風手段が行うこととなり、駆動手段冷却用送風手段は、大きな熱量を発生する背面パネル裏面の駆動手段の冷却のみに使用することができる。これにより、画像形成装置全体として、より効果的な冷却を行うことができる。
【図面の簡単な説明】
【図１】本発明の実施の形態に係る画像形成装置における背面パネルの表面側の構成を示す概略図である。
【図２】図１の画像形成装置における背面パネルの裏面の構成のうちフライホイールを外した状態を示す概略図である。
【図３】図２の画像形成装置の構成にフライホイールを取り付けた状態を示す概略図である。
【図４】駆動手段冷却用送風手段による送風の様子を模式的に示した図である。
【図５】連続プリント時における駆動手段冷却用送風手段の構成及び排気量に応じた画像形成装置の所定箇所の飽和温度を測定した実験結果を示す表である。
【図６】連続プリント時における駆動手段冷却用送風手段の構成及び排気量に応じた画像形成装置の所定箇所の飽和温度を測定した実験結果を示すグラフである。
【符号の説明】
１  画像形成装置
４  画像形成部
９  背面パネル
１１  吸気口
１２  排気口
１３  吸気ファン（吸気装置）
１４  排気ファン（排気装置）
１５，１６  案内用ダクト
４１  感光体
４２  現像装置
４３  感光体駆動モータ（感光体駆動手段）
４４  現像装置駆動モータ（現像装置駆動手段）
４５  フライホイール
５３  ベルト駆動モータ（ベルト駆動手段）
９０  本体冷却用送風ファン（本体冷却用送風手段）
Ｋ  間隙
【図１】
2005043508.tif 000003
【図２】
2005043508.tif 000004
【図３】
2005043508.tif 000005
【図４】
2005043508.tif 000006
【図５】
2005043508.tif 000007
【図６】
2005043508.tif 000008